(57)【要約】      （修正有）【課題】人間と、人間と一緒に暮らすペットが、より快適にかつ安全に暮らすことが可能になるペット用個室とそれを含む住居を提供する。【解決手段】ペット用の個室であって、住居内に、戸（戸１、戸２）、襖、障子のうちの１つ以上の建具、及び壁、窓（窓１）によって区画された個室である。【選択図】図１
0003232490.tif 000002
【実用新案登録請求の範囲】
【請求項１】
ペット用の個室であって、
住居内に、戸、襖、障子のうちの１つ以上の建具、及び壁、窓によって区画された個室であることを特徴とするペット用の個室。
【請求項２】
前記建具の１つ以上を開放することで、居間と直接接続することを特徴とする請求項１に記載のペット用個室。
【請求項３】
前記建具の１つ以上を開放することで、洗面室と直接接続することを特徴とする請求項１に記載のペット用個室。
【請求項４】
当該個室の内部を室外から見ることができるように前記壁又は前記建具に前記窓が設けてあることを特徴とする請求項１に記載のペット用個室。
【請求項５】
前記窓が嵌め殺し窓であることを特徴とする請求項４に記載のペット用個室。
【請求項６】
床の表面が、前記住居の他の居室の床の表面よりも、滑りにくくしてあることを特徴とする請求項１に記載のペット用個室。
【請求項７】
床及び／又は壁にクロスが貼ってあり、その表面が、前記住居の他の居室の床及び／又は壁のクロスの表面よりも、消臭及び／又は耐傷に優れていることを特徴とする請求項１に記載のペット用個室。
【請求項８】
当該個室にペット臭を除去する機能を有するエアコンディショナー、空気清浄機及び脱臭機の内の少なくとも１つが設けてあることを特徴とする請求項１に記載のペット用の個室。
【請求項９】
前記ペット臭を除去する機能が、フィルター、触媒、オゾン発生器のいずれか１つ以上によるものであることを特徴とする請求項８に記載のペット用の個室。
【請求項１０】
前記ペットが犬又は猫であることを特徴とする請求項１に記載のペット用個室。
【請求項１１】
当該個室に監視カメラ及び／又はウェブカメラが設置されていることを特徴とする請求項１に記載のペット用個室。
【請求項１２】
請求項１〜１１のいずれかに記載のペット用個室を具えることを特徴とする住居。
【考案の詳細な説明】
【技術分野】
【０００１】
本考案は、マンション、戸建て等の住居の中に個室として設けたペット（愛玩動物）用の居室と、その居室を有する住居に関する。
【背景技術】
【０００２】
昔から、犬や猫などのペットを飼う、あるいは、ペットと一緒に暮らすことによって、人は癒しや救いを得てきた。その形態としては、家の外に犬小屋を設ける場合もあれば、家の中を自由に走り回らせる場合もある。
【０００３】
住居内でペットと一緒に暮らす、または過ごす時に、人間もペットもより快適に過ごせるようにと、従来から、いくつかの提案がされている。例えば、特許文献１には、要約に「ベランダと隣接した背壁に窓を設け、かつこの窓に沿って所定の高さに棚を配設することによって、ペットが日光浴や居眠りなどをすることが出来る高所居留スペースを構成し、この棚の下方にペットが食事をしたり或は排泄をすることが出来る生活スペースを構成し、床と棚との間に階段を設けて構成したペットコーナーのある住宅に関するものである。」と書かれている。
【０００４】
また、特許文献２には、要約に「住宅内の居間の窓側の一角に固定仕切りと、蝶番によって開閉し得る可動仕切りとで仕切ってペットコーナーを構成し、かつこのペットコーナーに開閉自在な窓を設けた構造である。」と書かれている。
【先行技術文献】
【特許文献】
【０００５】
【特許文献１】特開２００２−１９４９０５号公報
【特許文献２】特開２００２−１９４９０３号公報
【考案の概要】
【考案が解決しようとする課題】
【０００６】
しかし、上記の従来の形態では、ペットのために設けたスペースと、住居内のその他のスペースとの間が完全に仕切られている訳ではないので、以下の問題が生じる。
ペットと暮らしている人にとっては、ペットが近くにいることに全く抵抗が無いが、犬や猫が苦手な人もいる。そのような人が来訪した時に、上記のようなペット用のスペースを設けただけでは、ペットが来訪者の所に寄って来る可能性もあるし、鳴き声や臭いがすることもあり、来訪者に嫌な思いをさせる可能性がある。
【０００７】
また、他者のペットを一時的に預かった時に、我が家のペットと一緒にしておくことが不適当な場合にはどちらかを隔離することが望ましい場合がある。また、人間とペットの間で感染症が移るという問題は、まだほとんど事例が無いとはいえ、そのような可能性も考慮されてよい問題である。
【０００８】
さらに、ペットも、人間と同じように、時には一人で（一匹で）物思いに沈みたい時があるのではないかと思われる。そのような時に自分の個室がないとストレスが溜まるのではないかと思われる。
【課題を解決するための手段】
【０００９】
上記の問題を解決するために、本考案は、ペット用の個室であって、住居内に、戸、襖、障子のうちの１つ以上の建具、及び壁、窓によって区画された個室であることを特徴とするペット用の個室を提供するものである。
【００１０】
さらに、本考案のペット用の個室では、前記建具の１つ以上を開放することで、居間と直接接続することができるようにしてあってもよい。
【００１１】
また、本考案のペット用の個室では、前記建具の１つ以上を開放することで、洗面室と直接接続することができるようにしてあってもよい。
【００１２】
また、本考案のペット用の個室では、当該個室の内部を室外から見ることができるように前記壁又は前記建具に前記窓が設けてあってもよい。さらに、その窓が嵌め殺しの窓であってもよい。
【００１３】
また、本考案のペット用の個室では、床が例えばフローリングになっており、その表面が、前記住居の他の居室の床の表面よりも、滑りにくくしてあってもよい。
【００１４】
また、本考案のペット用の個室では、床及び／又は壁にクロスが貼ってあり、その表面が、前記住居の他の居室の床及び／又は壁のクロスの表面よりも、消臭及び／又は耐傷に優れる仕様のものにしておくことも可能である。
【００１５】
また、本考案のペット用の個室には、ペット臭を除去する機能を有するエアコンディショナー、空気清浄機及び脱臭機の内の少なくとも１つが設けてあってもよい。その際、
前記ペット臭を除去する機能は、たとえば、フィルター、触媒、オゾン発生器のいずれか１つ以上によるものである。
【００１６】
前記ペットとしては、犬、猫を始めとして、多様な動物を対象にできる。
【００１７】
また、本考案は、上記のペット用個室を具えた住居を提供するものである。
【考案の効果】
【００１８】
本考案のペット用個室とそれを含む住居によって、人間と、人間と一緒に暮らすペットが、より快適にかつ安全に暮らすことが可能になる。
【図面の簡単な説明】
【００１９】
【図１】本考案を適用したペット用個室とそれを含む住居の実施例１を示す平面図
【図２】本考案を適用したペット用個室とそれを含む住居の実施例２を示す平面図
【考案を実施するための形態】
【００２０】
本考案を適用したペット用個室とそれを含む住居の実施例１を、平面図である図１を用いて説明する。この例は、マンション（集合住宅）の中の住居であるが、一戸建ての場合も同様である。図１において、「わんルーム」と表記した部屋（例えば、約３．０畳）が、本考案を適用したペット用個室である。図の戸１と戸２を閉めることで周囲の部屋から区画されることで、個室になっている。
【００２１】
戸１を開放した状態ではリビング（図１ではリビング・ダイニング・キッチンと表記）の部屋と繋がり、ペットが「わんルーム」もリビング・ダイニング・キッチンの一部のようにして動き回ることができる。なお、本考案の適用は、ダイニングやキッチンと一体でない居間（リビング）でもよい。
また、ペット全体を洗うことや、外の散歩から連れ帰って足を洗うことなどを洗面室や洗面室と繋がる浴室で行ったのち、戸２を開けてそのまま「わんルーム」に入る（入れる）ことができる。
また、上記の戸１も戸２も開放し、洗面室から廊下に通じる戸と、リビング・ダイニング・キッチンから廊下に通じる戸を開けておけば、ペットは、「わんルーム」→リビング・ダイニング・キッチン→廊下→洗面室→「わんルーム」と、嬉しそうに走り回ることができる。
また、戸に代えて、襖や障子を採用することができるが、ペットの爪で傷みにくい材料、例えばガラスやガラス繊維で補強された紙を用いることが望ましい。
【００２２】
また、図１に窓１と示したところに嵌め殺しの窓が設けてある。例えば、略透明の縦長の細い窓で、高さ方向の位置は、大人も子供も普通に立って「わんルーム」の中を覗くことができる高さである。この窓を通して、「わんルーム」の中にいるペットの様子を部屋に入らずに確認することができる。また、戸１、戸２に窓を設け、ペットの様子を確認することもできる。窓のガラスとしては、中の様子が分かる程度に透明なものであればよい。いわゆるマジックミラーを用いて、「わんルーム」の外からは中が見えるが、「わんルーム」の中からは外が見えにくいようにしてもよい。
また、監視カメラあるいはウェブカメラを設けておいて、それによってペットの様子を見るようにすることも可能である。その場合は、外出先から見ることもできる。
【００２３】
この実施例１では、「わんルーム」の床が例えばフローリングにしてあり、その表面が他の洋室（１）、（２）、（３）よりも滑りにくい仕上げにしてある。これにより、ペットが滑って転倒することを防いでいる。
【００２４】
また、本実施例の「わんルーム」には、ペット臭を除去するために、オゾン発生器を内蔵した脱臭機が設けてある。脱臭の用途で高機能フィルターや触媒を使用した、エアコンディショナー又は空気清浄機を設置することも可能である。
【００２５】
次に、実施例２の平面図である図２について説明する。図２においても、「わんルーム」と表記した部屋がペット用の個室である。戸３を開放することで「わんルーム」がリビング・ダイニング・キッチンと繋がり、戸４を開放することで「わんルーム」が浴室と繋がった洗面室と繋がる。この実施例２と前述の実施例１において戸１乃至戸４はいずれも引き戸であるが、これらの戸は、蝶番等で開閉される開き戸であっても良い。
また、窓２から「わんルーム」の内部を見ることができるようになっている。窓は、戸３と戸４にも設けることができる。
また、建具、壁、窓は、いずれも防音構造とすることができる。
実施例２の「わんルーム」の床及び／又は壁にはクロスが貼ってある。このクロスは、ペットの爪で傷みにくいように仕上げられており、また、臭いが付きにくい効果があるように加工してある。本実施例では、壁紙として、リリカラ株式会社のＬＷ−４４１４という製品を使用している。しかし、ペット対応として、表面強度が大きい、傷がつきにくい、汚れにくい、臭いが付きにくい、等の性能を有するものであれば、他の製品でも勿論適用可能である。
【００２６】
なお、本考案が対象とするペットは、比較的なじみの深い犬、猫を始めとして一般的に家庭内で飼えるものなら何でもよい。すなわち、象や毒蛇は対象外と言えるが、ハムスター、小鳥などは十分対象となる。
【図１】
0003232490.tif 000003
【図２】
0003232490.tif 000004